(57)【要約】【課題】履き口部に弾性帯状部材を合理的に配置することによって、複雑な製造工程を必要とせず、コストアップも回避して、履き口部にズレ防止力を効果的に作用させて脱げにくくしたフットカバーを提供すること。【解決手段】前半の足底部２及び爪先部３から甲部４を覆う前袋部５と、後半の足底部６及び踵部７を覆う後袋部８と、履き口部９とを備えたフットカバー１において、履き口部９の前半側９ａに第１の弾性帯状部材１０を配置し、履き口部９の後半側９ｂに第２の弾性帯状部材１１を配置すると共に、第１の弾性帯状部材１０は、履き口部９の前半側９ａの上縁に沿って甲部４から足底部６に向けて全周に亘って環状に配置し、第２の弾性帯状部材１１は、履き口部９の後半側９ｂの上縁に沿ってＵ字形に配置し、この第２の弾性帯状部材１１のＵ字形の前側両端部１１ａ、１１ｂを第１の弾性帯状部材１０の環状の途中両側の位置で交差状に連結させて配置した。【選択図】図１
2013023772.tif 000002
【特許請求の範囲】
【請求項１】
前半の足底部及び爪先部から甲部を覆う前袋部と、後半の足底部及び踵部を覆う後袋部と、前後袋部の間の上面に形成された履き口部とを備えたフットカバーにおいて、
履き口部の前半側に第１の弾性帯状部材を配置し、履き口部の後半側に第２の弾性帯状部材を配置すると共に、第１の弾性帯状部材は、履き口部の前半側上縁に沿って甲部から足底部に向けて全周に亘って環状に配置し、第２の弾性帯状部材は、履き口部の後半側上縁に沿ってＵ字形に配置し、この第２の弾性帯状部材のＵ字形の前側両端部を第１の弾性帯状部材の環状の途中両側の位置で交差状に連結させて配置したことを特徴とするフットカバー。
【請求項２】
前記第１の弾性帯状部材は、甲部から足底部へ第２の弾性帯状部材とほぼ直交させて配置してあることを特徴とする請求項１に記載のフットカバー。
【請求項３】
前記第１の弾性帯状部材は、ゴム編み組織又はゴム糸の編み込み組織により構成し、前記第２の弾性帯状部材は、ゴムテープの取り付けにより構成していると共に、履き口部の生地に対して前記ゴムテープを引き伸ばした状態で取り付けていることを特徴とする請求項１又は２に記載のフットカバー。
【発明の詳細な説明】
【技術分野】
【０００１】
本発明は、スニーカー等の着用時に素足感覚で着用されるフットカバーの改良に関するものである。
【背景技術】
【０００２】
一般に、スニーカー等の着用時における靴内環境を考察してみると、素足では、発汗した汗の行き場がなく、足裏や指間に付着滞留してべとついて蒸れが発生し、不快感を生じるという問題がある。
そこで、通常長さの靴下（ソックス）を着用すると、汗を吸収し、べとつきを緩和することができるが、スニーカーの履き口部より外側に出た足首部より上の部位（脚部又はレッグ部）にも靴下生地が存在して、それらの部位を被覆することになるため、暑苦しくなり、これらの足首部より上の部分に対しては、外気に直接触れることができる素足の方が発汗を抑制しつつ汗の蒸散を促進することができて快適であるため、ソックスの足首部から上を除去した形態のフットカバーが提供されている。
【０００３】
ところが、このようなフットカバーは、ソックスに比べて履き口部が大きく開口しているため、この開口部の全周囲に亘ってゴムテープが取り付けられたり、或いは、ゴム編みが施されたりしてズレ防止が図られているものの、着用中の歩行や運動などによってズレや脱げが発生することを防止できないという問題点があった。
そこで、この点を改良するために、従来、種々の提案がなされており、例えば、フットカバーの踵部内面に滑り止め材を設けたり（特許文献１等参照）、フットカバーの踵部内面に滑り止め糸を編み込んだり（特許文献２等参照）、フットカバーの爪先部及び踵部の包み込み量を増加させたり（特許文献３参照）したものが提案されている。
【先行技術文献】
【特許文献】
【０００４】
【特許文献１】特開平６−２２０７０３号公報
【特許文献２】特開平１１−３３５９０５号公報
【特許文献３】特開２０１１−５２３３５号公報
【発明の概要】
【発明が解決しようとする課題】
【０００５】
従来の特許文献１、２のものは、フットカバーの踵部内面に滑り止め材を設けるか、または、滑り止め糸を編み込んでいるだけであるため、他の大部分の領域からのズレ作用が履き口部に波及してフットカバーが脱げることが防止できない欠点があった。
また、特許文献３のものは、フットカバーの爪先部及び踵部の包み込み量を増加させるような特殊な編み方を必要とし、その上、編成後のパーツ同士の綴り合わせやリンキング加工が必要となるため、製造工程が複雑でコストアップとなる欠点があった。
【０００６】
本発明は、従来技術の上記欠点に鑑みて開発されたもので、その目的とするところは、履き口部に弾性帯状部材を合理的に配置することによって、複雑な製造工程を必要とせず、コストアップも回避して、履き口部にズレ防止力を効果的に作用させて脱げにくくしたフットカバーを提供することにある。
【課題を解決するための手段】
【０００７】
前記目的を達成するために本発明は、前半の足底部及び爪先部から甲部を覆う前袋部と、後半の足底部及び踵部を覆う後袋部と、前後袋部の間の上面に形成された履き口部とを備えたフットカバーにおいて、履き口部の前半側に第１の弾性帯状部材を配置し、履き口部の後半側に第２の弾性帯状部材を配置すると共に、第１の弾性帯状部材は、履き口部の前半側上縁に沿って甲部から足底部に向けて全周に亘って環状に配置し、第２の弾性帯状部材は、履き口の後半側上縁に沿ってＵ字形に設け、この第２の弾性帯状部材のＵ字形の前側両端部を第１の弾性帯状部材の環状の途中両側の位置で交差状に連結させて配置したことを特徴としている。
【０００８】
前記第１の弾性帯状部材は、甲部から足底部へ第２の弾性帯状部材に対してほぼ直交させて配置するのが好ましい。
また、前記第１の弾性帯状部材は、ゴム編み組織又はゴム糸の編み込み組織により構成し、前記第２の弾性帯状部材は、ゴムテープの取り付けにより構成すると共に、履き口部の生地に対して前記ゴムテープを引き伸ばした状態で取り付けることが望ましい。
【発明の効果】
【０００９】
本発明によれば、第１の弾性帯状部材によって履き口部の前半側を甲部から足底部に至る垂直方向環状断面部分に全周に亘って環状の弾性締付力でしっかりと密着させることができ、この第１の弾性帯状部材の垂直方向環状断面の途中両側を第２の弾性帯状部材によって履き口部の後端の踵上部に向けて引っ張ることによって、履き口部の前半側のズレを防止させる作用が発生し、また、その反作用として、第１の弾性帯状部材によって第２の弾性帯状部材を介して履き口部の後半側を踵上部のくびれ部分に密着係止させて履き口部の後半側のズレを防止させることができる。このように、本発明は、履き口部に第１及び第２の弾性帯状部材を合理的に配置しているため、複雑な製造工程を必要とせず、コストアップも回避して、履き口部にズレ防止力を効果的に作用させて脱げにくくしたフットカバーを提供することができる。
【図面の簡単な説明】
【００１０】
【図１】本発明に係るフットカバーの実施形態を示す斜視図である。
【図２】図１のフットカバーの着用状態におけるズレ防止力の作用状態の説明用斜視図である。
【発明を実施するための形態】
【００１１】
以下、本発明に係るフットカバーの実施形態を図面を参照して説明する。
本発明のフットカバー１は、図１に示すように、前半の足底部２及び爪先部３から甲部４を覆う前袋部５と、後半の足底部６及び踵部７を覆う後袋部８と、前後袋部５、８の間の上面に形成された履き口部９とを備えている。
前記前袋部５及び後袋部８は、綿糸、ナイロン糸、その他の糸を使用して靴下編み機（丸編み機）によって編成されている。
【００１２】
そして、履き口部９の前半側９ａに第１の弾性帯状部材１０を配置し、履き口部９の後半側９ｂに第２の弾性帯状部材１１を配置している。
この場合、第１の弾性帯状部材１０は、履き口部９の前半側９ａの上縁に沿って甲部４から後半の足底部６に向けて全周に亘って環状に配置してある。
また、第２の弾性帯状部材１１は、履き口部９の後半側９ｂの上縁に沿ってＵ字形に配置すると共に、この第２の弾性帯状部材１１のＵ字形の前側両端部１１ａ、１１ｂを第１の弾性帯状部材１０の環状の途中両側の位置で交差状に連結させて配置している。
【００１３】
前記第１の弾性帯状部材１０は、甲部４から後半の足底部６へ斜め後ろに傾斜して細帯状に配置してある。
前記第１の弾性帯状部材１０は、ゴム編み組織又はゴム糸の編み込み組織により構成している。これにより、第１の弾性帯状部材１０は、フットカバー１を構成する前袋部５及び後袋部８と一連に編み機で編成することができる。
【００１４】
また、前記第２の弾性帯状部材１１は、ゴムテープの取り付けにより構成していると共に、履き口部９の生地に対して前記ゴムテープを引き伸ばした状態で取り付けている。これにより、第２の弾性帯状部材１１を履き口部９に容易に取り付けることができ、しかも、必要な伸縮性を具備させることができる。
本発明においては、前袋部５における甲部４の後縁を可及的に後方へ延長する（足の甲を可及的に大きく覆う）構成を採用することによって、履き口部９の前半側９ａの起立角度を大きくすることができ、履き口部９の後半側９ｂとの交差角度を直角に近づけることができる。
【００１５】
これによって、第１の弾性帯状部材１０と第２の弾性帯状部材１１との交差角度を直角に近づけることができる。
本発明に係るフットカバー１の実施形態は、以上の構成からなり、次に、その着用状態における作用効果を図２を参照して説明する。
本発明の実施形態によれば、第１の弾性帯状部材１０によって履き口部９の前半側９ａを甲部４から後半の足底部６に至る垂直方向環状断面部分１２に全周に亘って環状の弾性締付力でしっかりと密着させることができる。
【００１６】
そして、この第１の弾性帯状部材１０の垂直方向環状断面部分１２の途中両側、即ち、図１の符号１１ａ、１１ｂの部分を第２の弾性帯状部材１１によって履き口部９の後端の踵上部１３に向けて引っ張ることによって、履き口部９の前半側９ａのズレを防止させる作用が発生する。
この場合、第２の弾性帯状部材１１に発生する引張力Ｆは、第１の弾性帯状部材１０の垂直方向環状断面部分１２に対してほぼ直角状態に作用するため、履き口部９の前半側９ａのズレ防止力を大きくすることができる。
【００１７】
また、その反作用として、第１の弾性帯状部材１０によって第２の弾性帯状部材１１を介して履き口部９の後半側９ｂを踵上部１３のくびれ部分に密着係止させて履き口部９の後半側９ｂのズレを防止させることができる。
このように、本発明は、履き口部９に第１及び第２の弾性帯状部材１０、１１を合理的に配置しているため、複雑な製造工程を必要とせず、コストアップも回避して、履き口部９にズレ防止力を効果的に作用させて脱げにくくしたフットカバー１を提供することができる。
【００１８】
本発明の実施形態は以上であるが、本発明は、この実施形態にのみ制約されるものではなく、特許請求の範囲に記載の範囲内で自由に変更して実施することができる。例えば、第１の弾性帯状部材１０は、甲部４から前半の足底部２にほぼ垂直に配置してもよい。また、第２の弾性帯状部材１１は、ゴム編みを採用してもよい。さらに、前袋部５及び後袋部８は、各種編み生地、レース生地、織物生地、不織布のいずれで構成してもよい。
【産業上の利用可能性】
【００１９】
本発明は、スニーカー等の靴履き用靴下に好適であるが、部屋履き用や上履き用等にも同様に適用することができる。
【符号の説明】
【００２０】
１    フットカバー
２    前半の足底部
３    爪先部
４    甲部
５    前袋部
６    後半の足底部
７    踵部
８    後袋部
９    履き口部
１０    第１の弾性帯状部材
１１    第２の弾性帯状部材
【図１】
2013023772.tif 000003
【図２】
2013023772.tif 000004